(57)【要約】【課題】隅角にデッドスペースを作ることなく、貯湯タンクをコンパクトに設置することができるとともに、水圧による貯湯タンクのふくれを防止することができる電気給湯機を提供すること。【解決手段】貯湯タンク１と、該貯湯タンク１の下部に設けられた給水管２と、貯湯タンク１の上部に設けられた給湯管３と、貯湯タンク内に設けられたヒータ４とを備えた電気給湯機において、前記貯湯タンク１を直方体状に形成するとともに、対向する胴板間１ａ、１ａを補強部材７で連結する。【選択図】図１
2005315490.tif 000002
【特許請求の範囲】
【請求項１】
貯湯タンクと、該貯湯タンクの下部に設けられた給水管と、貯湯タンクの上部に設けられた給湯管と、貯湯タンク内に設けられたヒータとを備えた電気給湯機において、前記貯湯タンクを直方体状に形成するとともに、対向する胴板間を補強部材で連結したことを特徴とする電気給湯機。
【請求項２】
貯湯タンクを、胴板並びに上鏡板及び下鏡板から構成し、胴板と上鏡板とをＴｉｇ溶接により、胴板と下鏡板とをシーム溶接により、それぞれ接合したことを特徴とする請求項１記載の電気給湯機。
【発明の詳細な説明】
【技術分野】
【０００１】
本発明は、電気給湯機に関し、特に、隅角にデッドスペースを作ることなく、貯湯タンクをコンパクトに設置することができるとともに、水圧による貯湯タンクのふくれを防止することができる電気給湯機に関するものである。
【背景技術】
【０００２】
従来、深夜電力を用いた電気給湯機では、水道管から供給された水道水を電気給湯機の貯湯タンク内にて加熱するとともに、この加熱した温水を、直接或いは別の水道管からの水道水と混合することにより設定温度に調節し、この温度調節した温水を配管を介して浴室の給湯口や蛇口に供給するように構成されている。
【０００３】
ところで、上記従来の電気給湯機では、通常は数百リットルの貯湯タンクを必要とするため、貯湯タンクは、水圧に強い円筒形が採用されている。
しかしながら、この円筒形の貯湯タンクは、その形状から設置場所の隅角にデッドスペースを作り、結果的に広いスペースを占拠するという問題を有している。
【発明の開示】
【発明が解決しようとする課題】
【０００４】
本発明は、上記従来の電気給湯機が有する問題点に鑑み、隅角にデッドスペースを作ることなく、貯湯タンクをコンパクトに設置することができるとともに、水圧による貯湯タンクのふくれを防止することができる電気給湯機を提供することを目的とする。
【課題を解決するための手段】
【０００５】
上記目的を達成するため、本発明の電気給湯機は、貯湯タンクと、該貯湯タンクの下部に設けられた給水管と、貯湯タンクの上部に設けられた給湯管と、貯湯タンク内に設けられたヒータとを備えた電気給湯機において、前記貯湯タンクを直方体状に形成するとともに、対向する胴板間を補強部材で連結したことを特徴とする。
【０００６】
この場合において、前記貯湯タンクを、胴板並びに上鏡板及び下鏡板から構成し、胴板と上鏡板とをＴｉｇ溶接により、胴板と下鏡板とをシーム溶接により、それぞれ接合することができる。
【発明の効果】
【０００７】
本発明の電気給湯機によれば、貯湯タンクを直方体状に形成するとともに、対向する胴板間を補強部材で連結するようにしているので、貯湯タンクを水圧に耐える強度を保持しながら設置性に優れた直方体形状に形成することができ、これにより、隅角にデッドスペースを作ることなく、貯湯タンクをコンパクトに設置することができるとともに、水圧による貯湯タンクのふくれを防止することができる。
【０００８】
また、前記貯湯タンクを、胴板並びに上鏡板及び下鏡板から構成し、胴板と上鏡板とをＴｉｇ溶接により、胴板と下鏡板とをシーム溶接により、それぞれ接合することにより、９０℃まで温度の上がらない貯湯タンク下部にあたる下鏡板と胴板の接合には加工作業時間の短いシーム溶接を、９０℃以上の高温となる貯湯タンク上部にあたる上鏡板と胴板の接合には高温時に耐腐食信頼性の高いＴｉｇ溶接により接合し、効率よく耐久性の高い電気給湯機とすることができる。
【発明を実施するための最良の形態】
【０００９】
以下、本発明の電気給湯機の実施の形態を、図面に基づいて説明する。
【実施例１】
【００１０】
図１〜図３に、本発明の電気給湯機の一実施例を示す。
この電気給湯機は、所要の容量を有するステンレススチール製の貯湯タンク１と、該貯湯タンク１の下部に設けられた給水管２と、貯湯タンク１の上部に設けられた給湯管３と、貯湯タンク１内の下部に設けられた下部ヒータ４と、貯湯タンク１内の上部に設けられた上部ヒータ５とを備えている。
そして、この電気給湯機は、図２に示すように、貯湯タンク１を直方体状に形成するとともに、該貯湯タンク１の対向する胴板１ａ間を補強部材７により連結している。
なお、この電気給湯機は、貯湯タンク上部の温水をポンプ８によって給湯側に圧送するとともに、追い焚き配管９と熱交換する熱交換器１０を備え、風呂の追い焚きを可能としている。
【００１１】
補強部材７は、例えば、図２に示すように、鉄等の側板７１、７１と、側板７１同士を繋ぐ連結板７２とからなる。側板７１、７１と連結板７２とは、それぞれを溶接等の接合手段によって連結するようにする。
また、補強部材７はその側板７１、７１を胴板１ａ、１ａの中央付近に溶接し、対向する胴板１ａ間を連結するように構成する。
なお、補強部材７はシール部材を用いることにより貯湯タンク１の外側からビスやリベット等を用いて固定することもできる。
これにより、貯湯タンク１は、補強部材７を取り付けない場合と比べて水圧による膨らみ量を約１／５程度に抑えることができる。
【００１２】
この電気給湯機では、図１に示すように、貯湯タンク１の水面上に空間部１１が設けられており、該空間部１１と外部とが蒸気排出管１２により連通されている。
貯湯タンク１の水面上の空間は、所定高さまで上昇した水位を水位センサー１３等で検知し、給水を止めることにより確保することができる。
これにより、貯湯タンク１を大気開放型として圧力負荷を下げ、貯湯タンク１が必要とされる耐圧性能を小さくすることができるとともに、従来は圧力負荷時に膨張水として排出していた温水の排出量を少なくし、低コスト化を図ることができる。
【００１３】
また、この電気給湯機では、図４に示すように、貯湯タンクを、胴板１ａ並びに上鏡１ｂ板及び下鏡板１ｃより構成するが、胴板１ａと上鏡板１ｂとをＴｉｇ溶接により、胴板１ａと下鏡板１ｃとをシーム溶接により、それぞれ接合するようにしている。
これは、電気給湯機の場合、貯湯タンク１内の下部（胴板１ａと下鏡板１ｃの接合）は６０〜７０℃程度までしか上昇することがなく、高温時における高い耐腐食信頼性を必要としないためである。
一方、貯湯タンク１内の上部（胴板１ａと上鏡板１ｂの接合）は９０℃以上の高温となるため、高い耐腐食信頼性を有するＴｉｇ溶接を採用するようにする。
【００１４】
かくして、本実施例の電気給湯機は、貯湯タンク１を直方体状に形成するとともに、該貯湯タンク１の周囲を、断熱材６を芯材とする板状の補強材７により枠状に取り囲むことから、貯湯タンク１の対向する胴板１ａ間を補強部材７により連結することにより、貯湯タンク１の内部の水圧に耐える強度を保持しながら設置性に優れた直方体形状に形成することができ、これにより、隅角にデッドスペースを作ることなく、貯湯タンク１をコンパクトに設置することができる。
【００１５】
以上、本発明の電気給湯機について、その実施例に基づいて説明したが、本発明は上記実施例に記載した構成に限定されるものではなく、その趣旨を逸脱しない範囲において適宜その構成を変更することができるものである。
【産業上の利用可能性】
【００１６】
本発明の電気給湯機は、貯湯タンクの形状に特徴を有し、貯湯タンクをコンパクトに設置することができることから、狭小な場所に設置する電気給湯機等、各種電気給湯機に好適に適用することができる。
【図面の簡単な説明】
【００１７】
【図１】本発明の電気給湯機の一実施例を示す回路図である。断面平面図
【図２】同貯湯タンクを示し、（ａ）は正面図、（ｂ）は（ａ）のＸ−Ｘ断面図である。
【図３】同補強材を組み込んだ貯湯タンクの斜視図を示す。
【図４】同貯湯タンクの溶接箇所を示す断面説明図である。
【符号の説明】
【００１８】
１    貯湯タンク
２    給水管
３    給湯管
４    下部ヒータ
５    上部ヒータ
７    補強部材
７１  側板
７２  連結板
【図１】
2005315490.tif 000003
【図２】
2005315490.tif 000004
【図３】
2005315490.tif 000005
【図４】
2005315490.tif 000006